(57)【特許請求の範囲】
【請求項１】
住宅の建屋が載設されるベースと、該ベースを支承する免震ゴムとを有する住宅用免震地盤において、
該ベースがＨ型鋼を井桁状に組んでなるフレームと、フレームの開口部に嵌め込まれ、該Ｈ型鋼の下フランジに載置されて固定されたＰＣ板よりなることを特徴とする住宅用免震地盤。
【請求項２】
請求項１において、ＰＣ板の厚み又は比重を異ならせてあることを特徴とする住宅用免震地盤。
【発明の詳細な説明】
【０００１】
【発明の属する技術分野】
本発明は住宅用免震地盤に係り、特にベースの支承構造を改良した住宅用免震地盤に関する。
【０００２】
【従来の技術】
鋼板等の硬質板とゴムとを交互に積層してなる免震ゴムがビルの免震支承に普及しつつある。この免震ゴムを戸建て住宅とくに木造住宅に適用するために、第８図（なお、第８図は後述の参考例に係るものである。）に示すように、ベース１を免震ゴム２を介してグラウンド（例えばコンクリート製フーチング）に支承してなる住宅用免震地盤を利用することがある。
【０００３】
ベース１は例えばＨ型鋼を堅固な枠状に組んだものにて構成される。免震ゴム２は、鋼板等とゴムとを積層したものであり、上面と下面にはフランジが設けられ、それぞれベース１とフーチングにボルトによって固定されている。
【０００４】
この住宅用免震地盤のベース１の上に戸建て住宅の建屋３を建設した場合、地震時のベース１及び建屋３の揺れがきわめて小さいものとなる。また、建屋３はベース１と一体となっており建屋３の根太、大引、土台等の下部構造の剛性がきわめて高い。
【０００５】
【発明が解決しようとする課題】
戸建て住宅は一般に面剛性が低いため、免震ゴムを単に配置しただけでは免震作用がベース及び建屋に均等に作用しないおそれがある。
【０００６】
本発明は、免震ゴムの免震作用をベース及び建屋に均等に作用させることができる住宅用免震地盤を提供することを第１の目的とする。
【０００７】
戸建て住宅は形状が複雑であり、建屋及びベースよりなる構築物の重心位置がベース中心から多く乖離することがある。例えば、建屋の１階部分をベースの一方に偏らせたり、２階部分を１階部分の一方に偏らせることがしばしばあるが、このような場合建屋の重心はベースの中心からかなりずれることになる。
【０００８】
このような場合、地震時の揺れが建屋各所で異なるようになり、免震効果が十分に発揮されないおそれがある。
【０００９】
本発明は、建屋の重心に偏りがあっても優れた免震作用が発揮される住宅用免震地盤を提供することを第２の目的とする。
【００１０】
【課題を解決するための手段】
請求項１の発明に係る住宅用免震地盤は、住宅の建屋が載設されるベースと、該ベースを支承する免震ゴムとを有する住宅用免震地盤において、該ベースがＨ型鋼を井桁状に組んでなるフレームと、フレームの開口部に嵌め込まれ、該Ｈ型鋼の下フランジに載置されて固定されたＰＣ板よりなることを特徴とするものである。
【００１１】
このように構成することにより、ベースの剛性が高いものとなり、免震ゴムの作用をベース及び建屋に均等に作用させることが可能となる。
【００１２】
請求項２に係る住宅用免震地盤は、請求項１において、ＰＣ板の厚み又は比重を異ならせてあることを特徴とするものである。
【００１３】
このように各開口部に嵌め込むＰＣ板の厚み又は比重を異ならせることにより、建屋及びベースよりなる構築物の重心がベースの中心と近接ないし合致させることができる。
【００１４】
【発明の実施の形態】
まず、第１図〜第８図を参照して第１の参考例について説明する。第１図は参考例に係る住宅用免震地盤の上に建屋３を建てた状態を示す縦断面図、第２図は第１図の要部拡大図、第３図はベースの伏図、第４図は第３図のIV部分の拡大図、第５図は第４図のV−V線に沿う断面図、第６図（ａ）はすべり支承の断面図（第６図（ｂ）のＡ−Ａ線に沿う断面図）、第６図（ｂ）は同（ａ）のＢ−Ｂ線に沿う断面図、第７図は第１図の１階部分の伏図である。第８図は建屋及び住宅用免震地盤を示す斜視図であり、建屋については軸組みのみを示している。
【００１５】
ベース１は、Ｈ型鋼を角形の枠状に組んだものであり、免震ゴム２によって４隅とさらに適宜の箇所がコンクリート製フーチング５に支承されている。６は土間コンクリート、７は砕石を示す。
【００１６】
第２図の通り、この免震ゴム２は、鋼板とゴムとを交互に多数枚積層した積層構造を有する本体部２ａと、上フランジ２ｂと、下フランジ２ｃとを有する。上フランジ２ｂはベース１を構成するＨ型鋼９にボルトによって固定され、下フランジ２ｃはフーチング５にアンカーボルトによって固定されている。
【００１７】
このベース１の上に木造軸組み工法による建屋３が建てられている。なお、建屋は２×４などのパネル工法によるものであっても良い。
【００１８】
第２図の通り、この建屋３の土台１０がベース１上に固定され、大引１１、根太１２、床パネル１３が設けられている。建屋３の周囲部分からは床下のベース１を隠すようにバリア１４が垂設されている。
【００１９】
第７図の通り、建屋３の１階の床には床下点検口３０が設けられている。また、浴室部分の外壁面下方のバリア１４には免震ゴム用点検口３１が設けられている。
【００２０】
第３〜６図に示す通り、ベース１の長辺部分の途中箇所がすべり支承２０によってフーチング５に支承されている。このすべり支承２０は、フーチング５上にアンカーボルト等によって固定設置されたステンレスプレート２１と、該ステンレスプレート２１と摺動するようにベース１に対しブロック２３を介して取り付けられた合成樹脂板２２とを備えている。
【００２１】
このブロック２３は、上下のフランジ２３ａ，２３ｂと、これらのフランジ２３ａ，２３ｂ同士を連結する十字形のウェブ部２３ｃとを備えてなり、上フランジ２３ａがボルト２４によってベース１に固定されている。合成樹脂板２２の樹脂としては例えばフッ素樹脂や高密度ポリエチレンなど摩擦係数の小さいものが用いられている。この合成樹脂板２２の周囲は円環形の胴枠２５によって囲まれている。この胴枠２５はボルト２４によってブロック２３の下フランジ２３ｂに固定されている。
【００２２】
このように合成樹脂板２２をステンレスプレート２１に摺動自在に当接させたすべり支承２０によってベース１を支承することにより、免震ゴム２の圧縮変形量が制限され、また免震ゴム２に載荷される荷重が制限される。このため、免震ゴム２のゴムとして低弾性のものを採用し、免震ゴム２に所要の（ビル用免震ゴムに比べて低弾性の）ばね特性を付与することができ、地震時のベース１及び建屋３の免震効果を大きくすることができる。
【００２３】
第９図は第２の参考例に係るベース４０の伏図である。このベース４０はＨ型鋼を井桁状に組み合わせたフレーム４１を有する。このフレーム４１の方形の開口部にブレース４２を対角線方向に架け渡すことによりベース４０（フレーム４１）の剛性を高めている。
【００２４】
ところで、第８図に示すようにこの建屋３は第８図の左側が２階建であり右側が平屋となっているため、この建屋３をベース４０上に建築した場合、ベース４０の第９図の左側に加えられる建屋荷重が右端側に加えられる建屋荷重よりもかなり大きなものとなり、ベース４０及び建屋３の重心がベース４０の中心から離隔する。そこで、この第９図の参考例ではベース４０の右側の開口部に錘体（重り）４４を配置することによりベース４０と建屋３とを併せた構造体の重心がベース４０の中心にほぼ一致するようにしている。この錘体４４は鉄などの金属製であってもよく、コンクリートであってもよい。
【００２５】
第１０図は第３の参考例に係る住宅用免震地盤の伏図である。この住宅用免震地盤のベース５０は、複数枚（この場合は６枚）のＰＣ板（プレキャストコンクリート板）５１を連結したものである。
【００２６】
第１０図の参考例ではＰＣ板の製造時にＰＣ板にシースを埋め込んでおき、このシースにロッド５２を通し、テンションナット５３をロッド５２の端部に締め込んでＰＣ板５１同士を堅固に連結している。
【００２７】
このＰＣ板同士の連結を行うには、第１１図の如く鉄などの金属製のケーシング５４内にコンクリート５５を打設し、このケーシング５４と一体のフランジ５５同士をボルト５６で連結することによりＰＣ板５７同士を連結する構成としてもよい。５８はフランジ５５に設けられたボルト挿通孔を示す。
【００２８】
第１２図は、実施の形態に係るものであり、ベース６０としてＨ型鋼６４を井桁状に組んでなるフレーム６１と、該フレーム６１の方形の開口部に嵌め込まれたＰＣ板６２とからなるのものを用いた住宅用免震地盤を示している。
【００２９】
このＰＣ板６２は、厚み方向に貫通するようにシース６３が設けられている。このＰＣ板６２の周縁部をＨ型鋼６４の下フランジ６５に載置し、ボルト６６によってＰＣ板６２を該下フランジ６５に対し固定している。
【００３０】
なお、第１０〜１２図においてベースの重心分布を変える場合ＰＣ板として厚みや比重の異なるものを用いればよい。
【００３１】
第９〜１２図のように剛性の高いベースは、免震ゴム２の免震作用がベース全体に均等に働くようになる。
【００３２】
【発明の効果】
本発明の効果は次の通りである。
【００３３】
本発明においては、ＰＣ板の厚み又は比重を異ならせるように構成した場合には、ベースと建屋とからなる構造体の重心をベース中心に合わせることが可能となり、免震効果が高いものとなる。
【００３４】
本発明においてはベースをＨ型鋼を井桁状に組んでなるフレームと、フレームの開口部に嵌め込まれて固定されたＰＣ板にて構成したことにより、ベースの剛性が高いものとなり、免震作用が向上する。
【図面の簡単な説明】
【図１】参考例に係る住宅用免震地盤を示す縦断面図である。
【図２】図１の要部拡大図である。
【図３】ベースの伏図である。
【図４】図３の要部拡大図である。
【図５】図４のV−V線に沿う断面図である。
【図６】すべり支承の構成図である。
【図７】図１の建屋の１階の伏図である。
【図８】住宅用免震地盤と建屋とを示す斜視図である。
【図９】別の参考例を示すベースの伏図である。
【図１０】さらに別の参考例を示すベースの伏図である。
【図１１】ベースの連結構成の一例を示す断面図である。
【図１２】（ａ）図は実施の形態を示すベースの伏図である。（ｂ）図は（ａ）図のＢ−Ｂ線に沿う断面図である。
【符号の説明】
１  ベース
２  免震ゴム
３  建屋
５  フーチング
６  土間コンクリート
１０  土台
１１  大引
１２  根太
２０  すべり支承
２１  ステンレスプレート
２２  合成樹脂板
４０  ベース
４１  フレーム
４２  ブレース
４４  錘体
５０  ベース
５１，５７  ＰＣ板
６０  ベース
６１  フレーム
６２  ＰＣ板
【図１】
0003633273.tif 000002
【図２】
0003633273.tif 000003
【図３】
0003633273.tif 000004
【図４】
0003633273.tif 000005
【図５】
0003633273.tif 000006
【図６】
0003633273.tif 000007
【図７】
0003633273.tif 000008
【図８】
0003633273.tif 000009
【図９】
0003633273.tif 000010
【図１０】
0003633273.tif 000011
【図１１】
0003633273.tif 000012
【図１２】
0003633273.tif 000013